(57)【要約】【課題】読取生産性を向上させ、使用者が故障と勘違いすることを防止することのできる画像読取装置を提供する。【解決手段】読取対象物を静止させて読取対象物の画像を読み取る第１の読取部１１と、第１の読取部から離間した位置において、読取対象物９を移動させながら読取対象物の画像を読み取る第２の読取部１と、読取対象物に光源４ａからの光を照射し、反射した光を記録する画像読取手段の全体４〜７または一部４、５と、画像読取手段の全体または一部を、第１の読取部において画像を読み取るための位置と、第２の読取部において画像を読み取るための位置に移動させる移動手段と、第２の読取部における読取対象物の画像の読取開始時に、第２の読取部における読取対象物の移動と、画像読取手段の全体または一部の、第２の読取部において画像を読み取るための位置への移動を同時に開始するように制御する制御手段４７とを備えた画像読取装置。【選択図】　図１
2004061572.tif 000002
【特許請求の範囲】
【請求項１】
読取対象物を静止させて該読取対象物の画像を読み取る第１の読取部と、
該第１の読取部から離間した位置において、読取対象物を移動させながら該読取対象物の画像を読み取る第２の読取部と、
読取対象物に光源からの光を照射し、反射した光を記録する画像読取手段と、
該画像読取手段の全体または一部を、前記第１の読取部において画像を読み取るための位置と、前記第２の読取部において画像を読み取るための位置に移動させる移動手段と、
前記第２の読取部における読取対象物の画像の読取開始時に、該第２の読取部における読取対象物の移動と、前記画像読取手段の全体または一部の、前記第２の読取部において画像を読み取るための位置への移動を同時に開始するように制御する制御手段とを備えたことを特徴とする画像読取装置。
【請求項２】
前記第２の読取部は、シート状の原稿を移動させながら該原稿の表面の画像を読み取ることを特徴とする請求項１記載の画像読取装置。
【請求項３】
前記第２の読取部に、シート状の原稿の先端が所定の位置に到達したことを検出する第１の検出手段と、前記画像読取手段の全体または一部が画像を読み取るための位置に到達したことを検出する第２の検出手段と、前記原稿の搬送を停止する停止手段とを備え、
前記制御手段は、前記第１の検出手段がシート状の原稿の先端が所定の位置に到達したことを検出すると、前記停止手段によって該原稿の搬送を停止し、前記第２の検出手段の全体または一部が前記画像読取手段が画像を読み取るための位置に到達したことを検出すると、該原稿の搬送を再開するように制御することを特徴とする請求項２記載の画像読取装置。
【請求項４】
前記制御手段は、前記第１の検出手段がシート状の原稿の先端が所定の位置に到達したことを検出する前に、前記第２の検出手段が前記画像読取手段の全体または一部が画像を読み取るための位置に到達したことを検出した場合には、前記第１の検出手段がシート状の原稿の先端が所定の位置に到達したことを検出するまで、前記画像読取手段による前記原稿の表面の画像の読取を開始しないように制御することを特徴とする請求項３記載の画像読取装置。
【請求項５】
前記制御手段は、前記第１の検出手段によるシート状の原稿の先端が所定の位置に到達したことの検出と、前記第２の検出手段による前記画像読取手段の全体または一部が画像を読み取るための位置に到達したことの検出とが、所定時間内に行われた場合には、前記停止手段による該原稿の搬送の停止を行わないように制御することを特徴とする請求項３または４記載の画像読取装置。
【請求項６】
前記光源は、蛍光灯または冷陰極管であることを特徴とする請求項１乃至５のいずれかに記載の画像読取装置。
【発明の詳細な説明】
【０００１】
【発明の属する技術分野】
本発明は、画像読取装置に関し、特に、ファクシミリ、スキャナ、コピー機、複合機等の各種画像情報処理装置に使用され、ＡＤＦ読取モードとブック原稿読取モードとを備えた画像読取装置に関する。
【０００２】
【従来の技術】
従来、コピー機等の画像読取装置においては、ブック原稿の読取と、シート原稿の読取とが可能な読取部を備えたものが知られている。この種の画像読取装置では、原稿読取部の面積を小型化するため、ＡＤＦ（Ａｕｔｏ　Ｄｏｃｕｍｅｎｔ　Ｆｅｅｄｅｒ）機能付きシート読取部（以下、適宜　「ＡＤＦ部」と略称する）における原稿搬送にターン方式を採用した装置も使用されている。
【０００３】
図９は、従来の画像読取装置の一例として、特開平１１−１２７２９２号公報に記載された装置を示し、この画像読取装置は、ＡＤＦ機能付きシート読取部と、ブック原稿読取部とを備え、ＡＤＦ部２１における原稿の搬送にターン方式を採用し、白圧板２１ａと、給紙ローラー２１ｂと、排紙ローラー２１ｃと、ＡＤＦ用コンタクトガラス２２と、ブック用コンタクトガラス２３と、第１走行体２４と、光源２４ａと、第１ミラー２４ｂと、第２走行体２５と、第２ミラー２５ａと、第３ミラー２５ｂと、レンズ２６と、ＣＣＤ２７とを備える。
【０００４】
この原稿読取部には、ブック原稿読取用として、ブック用コンタクトガラス２３と、シート原稿読取用としてＡＤＦ用コンタクトガラス２２とが設けられている。ブック用コンタクトガラス２３には、コピーの対象となるブックがセットされる。他方、シート原稿の場合には、ＡＤＦ部２１にセットされた原稿が、原稿搬送パスＰに沿って搬送され、給紙ローラー２１ｂと、排紙ローラー２１ｃとの間に配置された白圧板２１ａと、ＡＤＦ用コンタクトガラス２２との間に送られる。
【０００５】
ＣＣＤ光学系の一部を構成する第１走行体２４と、第２走行体２５とは、各々コンタクトガラス２３、２２の下方に配置され、図９に示した状態では、両者ともブック用コンタクトガラス２３の下方に位置しているが、シート原稿の場合には、ＡＤＦ部２１の下部に設けられたＡＤＦ用コンタクトガラス２２の下方に位置する。尚、第１走行体２４には、光源２４ａと第１ミラー２４ｂが、また、第２走行体２５には、第２ミラー２５ａと第３ミラー２５ｂが、各々内蔵されている。尚、第２走行体２５は、第１走行体２４よりもＡＤＦ部２１側の位置に配置されている。
【０００６】
次に、上記構成を有する画像読取装置のシステム全体の構成について、図１０を参照しながら説明する。
【０００７】
この画像読取装置は、ＣＣＤ４１と、ビデオ信号処理部４２と、光源４３と、モータ４４と、入力制御部４５と、操作部４６と、システム制御部４７と、出力制御部４８と、システムバス４９とを備える。
【０００８】
ＣＣＤ４１は、図９に示したＣＣＤ２７に対応し、光源４３は、第１走行体２４の光源２４ａに対応する。ＣＣＤ２７に入射した光情報は、光電変換され、アナログのビデオ信号としてビデオ信号処理部４２へ入力され、ビデオ信号処理部４２においてアナログ／ジタル変換され、様々な画像処理を経て、画像読取装置のシステムへ取り込まれる。システム制御部４７は、図１０に示したシステム全体を制御し、ＲＯＭ等に格納されたプログラムに従って図９の各部を制御する。モータ４４は、ＡＤＦ部２１や、第１走行体２４、第２走行体２５その他を駆動するため、所要個数配置されている。
【０００９】
入力制御部４５は、光源４３やモータ４４に対して制御信号を与える。操作部４６は、ユーザの指示の入力や、システムの状態表示等を行う機能を有し、各種キーやＬＣＤ等のディスプレイから構成される。出力制御部４８は、図示しないコピー機や、複合機のプリンタや、ファクシミリの通信制御部等に対する出力を制御する。従来の画像読取装置は、図１０に示したようなシステム構成であり、システム制御部４７によって各読取モードに対応した動作が行われる。
【００１０】
一方、シェーデイング補正に関する従来の技術としては、シェーデイング波形のサンプリング時にレンズユニットを移動し、ピンボケ状態で基準白色面を読み取ることによって、基準白色面の反射率のばらつき、塵、きず等の影響を低減させた画像読取装置として、例えば、特開平２−２３７７１号公報に記載の装置や、基準白色面を副走査方向に少なくとも３ラインだけ不連続に読み取って画素毎に記憶し、読み出した各ラインの同一画索の白情報を演算して全白情報を求めることによって、より適正なシエーデイング補正を可能とした画像読取装置が特開平３−１２０９５１号公報に記載されている。
【００１１】
さらに、これらの画像読取装置のうち、光源に蛍光管や冷陰極管が用いられるものがある。これらの光源を用いると、特開２０００−２８７０３５号公報に記載のように、光源の立ち上がり特性上、光源の点灯直後は光量が安定しない。従って、光源の点灯後、所定時間経過してからシェーディング補正を行った後、読取開始可能状態となる。その後、ＣＣＤ光学系の一部を構成する第１走行体２４と、第２走行体２５とをブック用コンタクトガラス２３の下方か、ＡＤＦ用コンタクトガラス２２の下方のいずれかの所望の位置に位置させることにより所望の読取を開始することができる。
【００１２】
【発明が解決しようとする課題】
しかし、上記従来の画像読取装置においては、第１走行体２４と、第２走行体２５からなるキャリッジを、ＡＤＦ用コンタクトガラス２２の所定の読取位置まで移動してからシート原稿の読取を開始すると、読取開始ボタンを押下しても原稿の搬送が即座に開始されないため、読取生産性が低下する。また、原稿の露光に冷陰極管等の光量の安定に所定の時間が必要な光源を用いた読取装置では、光源の光量が安定した後にキャリッジをＡＤＦ用コンタクトガラス２２の所定の読取位置まで移動させていたため、読取生産性がさらに低下し、使用者が故障と勘違いするような場合もあった。
【００１３】
そこで、本発明は、上記従来の画像読取装置における問題点に鑑みてなされたものであって、読取生産性を向上させることができるとともに、使用者が故障と勘違いすることを防止することのできる画像読取装置を提供することを目的とする。
【００１４】
【課題を解決するための手段】
上記目的を達成するため、本発明は、画像読取装置であって、読取対象物を静止させて該読取対象物の画像を読み取る第１の読取部と、該第１の読取部から離間した位置において、読取対象物を移動させながら該読取対象物の画像を読み取る第２の読取部と、読取対象物に光源からの光を照射し、反射した光を記録する画像読取手段と、該画像読取手段の全体または一部を、前記第１の読取部において画像を読み取るための位置と、前記第２の読取部において画像を読み取るための位置に移動させる移動手段と、前記第２の読取部における読取対象物の画像の読取開始時に、該第２の読取部における読取対象物の移動と、前記画像読取手段の全体または一部の、前記第２の読取部において画像を読み取るための位置への移動を同時に開始するように制御する制御手段とを備えたことを特徴とする。
【００１５】
そして、本発明によれば、制御手段によって、第２の読取部における読取対象物の画像の読取開始時に、読取対象物の移動と、前記画像読取手段の全体または一部の移動を同時に開始するため、従来のように両者の移動を別々に行う場合に比較して、移動により長い時間を要するいずれか一方の移動時間によって全体の動作に要する時間が決定されることになり、動作時間を短縮することができ、読取生産性を向上させることができる。
【００１６】
上記画像読取装置において、前記第２の読取部は、シート状の原稿を移動させながら該原稿の表面の画像を読み取るよう構成することができる。
【００１７】
また、前記第２の読取部に、シート状の原稿の先端が所定の位置に到達したことを検出する第１の検出手段と、前記画像読取手段の全体または一部が画像を読み取るための位置に到達したことを検出する第２の検出手段と、前記原稿の搬送を停止する停止手段とを備え、前記制御手段は、前記第１の検出手段がシート状の原稿の先端が所定の位置に到達したことを検出すると、前記停止手段によって該原稿の搬送を停止し、前記第２の検出手段が前記画像読取手段の全体または一部が画像を読み取るための位置に到達したことを検出すると、該原稿の搬送を再開するように制御することができる。
【００１８】
さらに、前記制御手段は、前記第１の検出手段がシート状の原稿の先端が所定の位置に到達したことを検出する前に、前記第２の検出手段が前記画像読取手段の全体または一部が画像を読み取るための位置に到達したことを検出した場合には、前記第１の検出手段がシート状の原稿の先端が所定の位置に到達したことを検出するまで、前記画像読取手段による前記原稿の表面の画像の読取を開始しないように制御することもできる。
【００１９】
また、前記制御手段は、前記第１の検出手段によるシート状の原稿の先端が所定の位置に到達したことの検出と、前記第２の検出手段による前記画像読取手段の全体または一部が画像を読み取るための位置に到達したことの検出とが、所定時間内に行われた場合には、前記停止手段による該原稿の搬送の停止を行わないように制御してもよい。
【００２０】
上記画像読取装置において、前記光源を、蛍光灯または冷陰極管で構成することができ、このような光量の安定までに所定の時間を要する光源であっても、画像処理手段を移動させながら読取対象物の搬送ができるため、使用者が故障と勘違いするようなことはない。
【００２１】
【発明の実施の形態】
次に、本発明の実施の形態について、本発明にかかる画像読取装置をファクシミリ装置に搭載した場合を例にとって、図面を参照しながら詳細に説明する。
【００２２】
図１は、本発明にかかる画像読取装置のシート原稿読取動作を示す。このフローチャートを説明する前に、まず、図２、図３及び図１０を参照しながら、本発明にかかる画像読取装置の構造、システム構成及び基本制御フローについて説明する。
【００２３】
図２に示すように、この画像読取装置は、読取対象物を静止させて該読取対象物の画像を読み取るブック原稿読取部（第１の読取部）１１と、ブック原稿読取部１１から離間した位置において、シート状の原稿等の読取対象物を移動させながら読取対象物の画像を読み取るＡＤＦ部（第２の読取部）１とを備え、いずれの読取を行う場合でも、ブック用コンタクトガラス３の下方に位置するＣＣＤ７により、光源４ａからの光が読取対象物としての原稿９によって反射されて得られた画像を、複数枚のミラー（本実施例では、第１ミラー４ｂ、第２ミラー５ａ、第３ミラー５ｂの３枚のミラーを備える）を介し、レンズ６を通してＣＣＤ７によって読み取る。
【００２４】
本実施例のようなブック読取機構で読取対象物の画像読取を行う場合には、光源４ａと第１ミラー４ｂとが搭載された第１走行体４を移動させながら読取を行うが、ＡＤＦ部１で読取を行う場合にも、読取可能位置まで第１走行体４を移動させる必要がある。第１走行体４を読取可能位置（光源４ａが所望の位置を照らすことのできる位置）まで移動させて第１走行体４の位置を固定し、原稿セット台１０に載積された原稿９を、原稿搬送パスＰに沿って搬送させると、搬送された原稿９の画像を読み取ることができる。尚、第１走行体４を移動させた場合には、レンズ６までの焦点距離を維持する都合上、第２ミラー５ａと第３ミラー５ｂとが搭載されている第２走行体５も、第１走行体４の移動方向へ第１走行体４に連動して移動する。尚、光源４ａ乃至ＣＣＤ７の画像読取手段全体を移動させるように構成することもできる。
【００２５】
次に、図１０を参照しながら、本発明にかかる画像読取装置のシステム構成について説明する。
【００２６】
図１０は、従来の画像読取装置のシステム構成として説明したものであるが、本発明についても同様の構成を採用している。そして、ＣＣＤ４１は、図２に示したＣＣＤ７に対応し、光源４３は、第１走行体４の光源４ａに対応している。ＣＣＤ７に入射した光情報は、光電変換され、アナログのビデオ信号としてビデオ信号処理部４２へ入力され、ビデオ信号処理部４２において、アナログ／デジタル変換され、様々な画像処理を経て、画像読取装置のシステムへ取り込まれる。システム制御部４７は、図１０に示したシステムの全体を制御し、ＲＯＭ等に格納されたプログラムに従って図２の各部を制御する。モータ４４は、ＡＤＦ部１、第１走行体４及び第２走行体５等を駆動するため、所要個数設けられる。
【００２７】
次に、図３を参照しながら、本発明にかかる画像読取装置の各読取モードにおける基本的な処理の流れについて説明する。尚、同図において、＃１から＃５はステップを示す。
【００２８】
ステップ＃１で原稿がセットされたかどうかを監視する。原稿がセットされたことを検知すると、ステップ＃２で、読取モードを判断する。ＡＤＦ読取モードであれば、ステップ＃３で、第１走行体４と、第２走行体５（以下、これらを「キャリッジ」という）をＡＤＦ読取位置まで移動させる。そして、ステップ＃４へ進み、シート原稿の読取を行う。ブック原稿読取モードであれば、ステップ＃５へ進み、ブック原稿の読取を行う。
【００２９】
次に、図１及び図４乃至図８を参照しながら、上記画像読取装置のＡＤＦ部１での原稿読取動作の詳細なフローと、各部の動作について説明する。尚、図４乃至図８は、図１のフローチャートの各ステップにおける各走行体４、５と原稿９の動作を示すものである。
【００３０】
原稿セット台１０に原稿９がセットされた状態で読取が起動されると、図１のフローが開始される（図１の「ＡＤＦ読取」のスタート）。
【００３１】
起動と同時に処理が分岐され、原稿搬送系の処理（＃１）と、光学系の処理（＃２）の並行処理が開始される。但し、通常は、完全な並行処理はできないため、処理タスクのスイッチングやイベントを使った状態制御等により仮想的な並行処理を行う。尚、どちらの分岐処理から開始するかは、任意に決定することができる。原稿搬送系の処理では、初めに原稿９の搬送を開始する（＃１１）。また、光学系の処理（＃２）では、初めに、ランプ（光源４ａ）を点灯する（＃２１）。この２つの処理は、同時に起動することもでき、いずれか一方を優先して略々同時に起動することもできる。
【００３２】
原稿搬送系の処理（＃１）では、原稿９の搬送が起動されると、図４に示すように、原稿繰り込みローラ１ｆが下降し、原稿９を給紙ローラ１ｄの方向へ送り込む。原稿９は、給紙ローラ１ｄに相対向した位置にある分離ローラ１ｅで１枚づつに分離され、給紙ローラ１ｄによって原稿搬送パスＰに沿って搬送される。
【００３３】
一方、光学系の処理（＃２）では、ランプ（光源４ａ）の安定化時間をタイマーで監視し（＃２２）、所定の時間（例えば、特開２０００−２８７０３５号公報に記載の冷陰極管を利用したときには１秒間）が経過すると（＃２３）、キャリッジの移動を開始する（＃２４）。その結果、キャリッジは、図５における矢視方向へ移動し、原稿９も同時に搬送される。これらの処理の後、原稿搬送系の処理（＃１）では、先端検出センサ８の、図示しない紙あり検出待ち状態、光学系の処理（＃２）では、キャリッジの、図示しない読取可能位置への到達待ち状態に移行する。
【００３４】
これらの待ち状態において、「先端検出センサ８の紙あり検出（＃１２）と、「キャリッジの読取可能位置への到達（＃２５）」のイベントのうち、いずれが先に発生するかは、原稿９の搬送速度、キャリッジの移動速度、ランプ光量の安定時間等の状況で変換する。但し、キャリッジの移動速度、ランプ光量の安定時間は、変数的には、システム設計で固定化された値が与えられるため、実際的な変数は、原稿９の搬送速度だけであり、原稿９の搬送速度が変化するのは、読取倍率によって原稿９の搬送速度を変化させる必要があるためである。
【００３５】
倍率が拡大の場合には、原稿９の搬送速度は、低速となる（例えば、２倍に拡大する場合には、原稿９の搬送速度は１／２となる）。一方、倍率が縮小の場合には、原稿９の搬送速度は高速になる（例えば、１／２倍に縮小する場合には、原稿９の搬送速度は２倍となる）。
【００３６】
先端検出センサ８の紙あり検出（＃１２）が先に発生した場合（本実施例では、図６に示すように、原稿９が先端検出センサ８を押し上げた状態に該当する）には、キャリッジが読取可能位置に到達したかを確認する（＃１３）。図６では、キャリッジは、読取可能位置に到達していないが、キャリッジが読取可能位置に到達していた場合には、そのまま原稿９を搬送し、原稿９の読取を行う（＃１６）。この場合、原稿９は、読取搬送ローラ１ｂで引き続き搬送され、図８に示すように、原稿搬送パスＰを経由し、画像がＣＣＤ７で読み取られ、排紙ローラ１ｃで排紙される。
【００３７】
図６に示すように、キャリッジが読取可能位置に到達していなかった場合には、原稿９の搬送を停止し（＃１４）、キャリッジの読取可能位置への到達を待つ。この後、キャリッジが読取可能位置に到達すると、原稿９が先端検出センサ８に到達しているか（＃２６）を確認し、原稿９の読取搬送を開始し（＃１５）、原稿９を読み取る（＃１６）。尚、キャリッジが読取可能位置に到達したか否かの判定処理は、フロチャートから類推される単純判定（センサの状態を読み取る）以外にも、状態分けや、フラグ管理制御等、ソフトウエア技術者が容易に類推可能ないかなる処理を用いてもよい。
【００３８】
キャリッジの読取可能位置への到達（＃２５）が先に発生した場合（本実施例では、図７に示すように、光源４ａの光軸が白圧板１ａの下方の所定の位置に到達した状態に相当し、キャリッジ用のモータが所定パルス分回転したかをカウントする等の方法で認識する）には、原稿９の先端が先端検出センサ８に到達しているか否かを確認する（＃２６）。原稿９の先端が先端検出センサ８に到達していなかった場合には、そのまま原稿９の先端の先端検出センサ８への到達を待つ。その後、原稿９の先端が先端検出センサ８に到達すると（＃１３）、キャリッジが読取可能位置に到達しているか（＃１３）を判定し、すでに到達しているので、続けて原稿９の読取を行う（＃１６）。尚、キャリッジがＡＤＦ読取位置に到達しているか（＃１３）の判定処理は、フローチャートから類推される単純判定（センサの状態を読み取る）以外にも、状態分けや、フラグ管理制御等、ソフトウエア技術者が容易に類推可能ないかなる処理を用いてもよい。
【００３９】
原稿９の先端が先端検出センサ８に到達しているか（＃２６）の判定で、原稿９の先端が先端検出センサ８に到達していた場合には、原稿９の搬送は停止しているため、原稿９の読取搬送を開始し（＃１５）、原稿９を読み取る（＃１６）。尚、このとき、タイミングによっては、原稿９の搬送は止まっていないが、原稿９の先端が先端検出センサ８に到達している状態を検出する場合がある。この場合には、原稿９の読取搬送を開始する（＃１５）前に、読取搬送が停止しているか否かを確認する処理を追加してもよい。
【００４０】
次に、読取生産性について、倍率等倍時で３５ＰＰＭ（Ｐａｇｅ　Ｐｅｒ　Ｍｉｎｕｔｅ）の読取能力を備えた読取装置を例にとって算出する。光源４ａに冷陰極管を使用した場合には、ランプ光量の安定に必要な時間に１秒、キャリッジのブック用コンタクトガラス３側の待機位置から原稿９の読取可能位置までの移動時間に０．５秒、１枚目の原稿９を原稿セット台１０から搬送し、原稿９の先端が読取可能位置に到達するまでの時間に１秒を消費するので、従来は、合計２．５秒を消費していた。
【００４１】
本発明の画像読取装置では、原稿搬送系の処理（＃１）は１秒、光学系の処理（＃２）は１．５秒で行われるが、原稿搬送系の処理（＃１）と光学系の処理（＃２）を並行処理するため、１．５秒消費することとなる。従って、従来の画像読取装置との差分は１秒となり、生産性を１秒高めることができる。
【００４２】
尚、本実施例では、原稿の先端到達を先端センサ８で検出しているが、他の原稿読取装置では、斜行のレジスト機能を行うために原稿の搬送を一時的に停止する機能を有するものもある。この場合には、レジスト位置でキャリッジの待ち合わせを行うことも可能である。
【００４３】
【発明の効果】
以上説明したように、本発明によれば、読取生産性を向上させることができるとともに、使用者が故障と勘違いすることを防止することのできる画像読取装置を提供することができる。
【図面の簡単な説明】
【図１】本発明にかかる画像読取装置の一実施の形態におけるシート原稿の読取動作を示すフローチャートである。
【図２】図１の画像読取装置の断面図である。
【図３】図１の本発明の画像読取装置の読取動作を示すフローチャートである。
【図４】図１の本発明の画像読取装置のシート原稿の読取動作の第１過程を示す断面図である。
【図５】図１の本発明の画像読取装置のシート原稿の読取動作の第２過程を示す断面図である。
【図６】図１の本発明の画像読取装置のシート原稿の読取動作の第３過程を示す断面図である。
【図７】図１の本発明の画像読取装置のシート原稿の読取動作のもう一つの第３過程を示す断面図である。
【図８】図１の本発明の画像読取装置のシート原稿の読取動作の第４過程を示す断面図である。
【図９】従来の画像読取装置の一例を示す概略断面図である。
【図１０】図１及び図９の画像読取装置の制御回路のブロック図である。
【符号の説明】
１　　　　　　ＡＤＦ部
１ａ　　　　白圧板
１ｂ　　　　読取搬送ローラ
１ｃ　　　　排紙ローラ
１ｄ　　　　給紙ローラ
１ｅ　　　　分離ローラ
１ｆ　　　　原稿繰り込みローラ
２　　　　　　ＡＤＦ用コンタクトガラス
３　　　　　　ブック用コンタクトガラス
４　　　　　　第１走行体
４ａ　　　　光源
４ｂ　　　　第１ミラー
５　　　　　　第２走行体
５ａ　　　　第２ミラー
５ｂ　　　　第３ミラー
６　　　　　　レンズ
７　　　　　　ＣＣＤ
８　　　　　　先端検出センサ
９　　　　　　原稿
１０　　　　原稿セット台
１１　　　　ブック原稿読取部
４１　　　　ＣＣＤ
４２　　　　ビデオ信号処理部
４３　　　　光源
４４　　　　モータ
４５　　　　入力制御部
４６　　　　操作部
４７　　　　システム制御部
４８　　　　出力制御部
【図１】
2004061572.tif 000003
【図２】
2004061572.tif 000004
【図３】
2004061572.tif 000005
【図４】
2004061572.tif 000006
【図５】
2004061572.tif 000007
【図６】
2004061572.tif 000008
【図７】
2004061572.tif 000009
【図８】
2004061572.tif 000010
【図９】
2004061572.tif 000011
【図１０】
2004061572.tif 000012